(57)【要約】【課題】携帯端末を用いて現在地から会場までの経路を探索し誘導する。【解決手段】携帯端末の位置情報とサーバＤＢに登録された目的地の位置情報とから、目的地までのルート情報を探索し誘導経路を提供する。幹事役ユーザを登録する幹事役情報登録手段と、案内通知の店情報を登録する店情報登録手段と、案内通知の参加者情報を登録する参加者情報登録手段と、案内通知の案内付加情報を登録する案内通知付加情報登録部と、案内通知を参加者役ユーザへと一斉送信する開催案内一斉送信手段と、参加者役ユーザの情報を取得する参加者情報取得手段と、案内通知から店情報を取得する店情報取得手段と、参加者役ユーザの携帯端末によるＧＰＳ位置情報と店情報の店住所から経路を探索する経路探索手段と、案内通知から付加情報を取得する案内付加情報取得手段と、ユーザ送信用の案内通知情報を作成しユーザへと戻すユーザ送信情報作成手段を備える。【選択図】図１
2012073737.tif 000002
【特許請求の範囲】
【請求項１】
幹事役ユーザが店や参加者の情報を登録し参加者役ユーザに開催情報を通知する処理である開催情報登録処理部と、参加者役ユーザが店までの経路を探索する処理である開催情報通知処理部と、経路探索の基礎となる地図情報を含むサーバデータベースとを有する待ち合わせ支援サーバが、携帯基地局及びネットワークを介して複数の携帯端末と接続されてなり、前記複数の携帯端末の一つから前記参加者役ユーザが誘導経路の要求をすると、当該携帯端末の位置情報と前記サーバデータベースに登録されている目的地の位置情報とから、ユーザの目的地までの経路情報を探索し誘導経路を提供する待ち合わせ支援システムであって、
前記携帯端末は、
当該携帯端末の位置検索をして位置情報を取得するＧＰＳ位置検索手段と
前記待ち合わせ支援サーバ上のウェブアプリケーションに対する入出力を実行するウェブブラウジング手段と、
インターネットを介して送られるメールを受信するメール受信手段と
を有し、
前記開催情報登録処理部は、
前記複数の携帯端末の一つを用いて幹事役ユーザが入力する自身のＩＤ、パスワード、氏名、メールアドレスを幹事役情報として前記サーバデータベースに登録する幹事役情報登録手段と、
該幹事役情報登録手段により登録された幹事役ユーザが前記複数の携帯端末の一つを用いて入力する店名称、住所を店情報として前記サーバデータベースに登録する店情報登録手段と、
該店情報登録手段に登録した店を利用して前記幹事役情報登録手段により登録された幹事役ユーザが開催案内を送付したい対象者である参加者役ユーザのＩＤ、メールアドレスを参加者情報として前記サーバデータベースに登録する参加者情報登録手段と、
該参加者情報登録手段に登録された参加者役ユーザに前記幹事役情報登録手段により登録された幹事役ユーザが伝えたい情報を案内通知の案内付加情報として前記サーバデータベースに登録する案内付加情報登録手段と、
該案内付加情報登録手段により登録された案内付加情報と、前記幹事役情報登録手段により登録された幹事役情報と、前記店情報登録手段により登録された店情報と、前記参加者情報登録手段により登録された参加者情報とに基づいて、案内通知を前記参加者役ユーザへとメールにて一斉送信する開催案内一斉送信手段と
を有し、
前記開催情報通知処理部は、
前記開催案内一斉送信手段により送信された案内通知を前記複数の携帯端末の一つを用いて前記参加者役ユーザの一人が受け取って、当該案内通知に記載されたリンク情報をクリックすることに基づいて、前記参加者情報登録部が登録した参加者役ユーザの情報を検索し、当該参加者情報を取得する参加者情報取得手段と、
前記案内通知に記載されたリンク情報を前記参加者役ユーザがクリックすることに基づいて、前記店情報登録部が登録した店情報から当該案内通知に係る店情報を取得する店情報取得手段と、
該店情報取得手段が取得した店情報の店住所と、前記案内通知に記載されたリンク情報を前記参加者役ユーザがクリックすることに基づいて該参加者役ユーザの用いる携帯端末のＧＰＳ位置検出手段が取得したＧＰＳ位置情報、前記サーバデータベースに格納された地図情報とから該参加者ユーザが当該店に行き着く経路を探索する経路探索手段と、
前記案内通知に記載されたリンク情報を前記参加者役ユーザがクリックすることに基づいて、当該案内通知に紐付いた付加情報を取得する案内付加情報取得手段と、
該案内付加情報取得手段が取得した付加情報と、前記経路探索手段が探索した結果である経路と、前記サーバデータベースに格納された地図情報と、前記店情報取得手段が取得した店情報とに基づいて、前記参加者役ユーザへ送信する案内通知情報を作成し当該ユーザへと戻すユーザ送信情報作成手段と
を有することを特徴とする待ち合わせ支援システム。
【請求項２】
請求項１に記載した待ち合わせ支援システムであって、
前記サーバデータベースは、
前記幹事役情報登録手段が登録した幹事役ユーザＩＤ、パスワード、氏名、メールアドレスを含む幹事役ユーザに関する情報を保管する幹事役情報マスタテーブルと、
前記店情報登録手段が登録した店名称、店住所の情報を前記幹事役情報マスタテーブルの幹事役ユーザＩＤと分類ＩＤ（幹事役ユーザＩＤとの組み合わせで、開催案内を通知する対象となるグループを一意に特定する情報）との組み合わせに関連付けて保管する店情報テーブルと、
前記参加者情報登録手段が登録した参加者役ユーザＩＤ、参加者メールアドレスを幹事役ユーザＩＤと分類ＩＤとの組み合わせに関連付けて保管する参加者情報テーブルと、
前記案内付加情報登録手段が登録した案内付加情報を、幹事役ユーザＩＤと分類ＩＤとの組み合わせに関連付けて保管する案内付加情報テーブルと、
前記経路探索の基礎となる地図データをＩＤを付して管理する地図情報テーブルと
をさらに有し、これらの複数のテーブルが前記幹事役ユーザＩＤ又は該幹事役ユーザＩＤと前記分類ＩＤとの組み合わせにより紐付けられることにより、データベースとして機能することを特徴とする待ち合わせ支援システム。
【請求項３】
請求項１又は２のいずれか一に記載した待ち合わせ支援システムであって、
前記開催情報登録処理部の案内付加情報登録手段による付加情報の登録は、当該会議が開始した後であっても何度でも登録でき、
前記開催情報通知処理部の案内付加情報取得手段は、参加者役ユーザの要求に基づいて最新の付加情報を取得して、当該参加者役ユーザに経路探索結果とともに返す
ことを特徴とする待ち合わせ支援システム。
【請求項４】
請求項３に記載した待ち合わせ支援システムであって、
前記開催情報登録処理部が、
前記案内付加情報登録手段が付加情報の登録をした後に開催案内のメールを送信する相手を確認するメール送信先確認手段を
さらに有し、来場予定だがまだ到着していない参加者に送信先を限定することを特徴とする待ち合わせ支援システム。
【請求項５】
幹事役ユーザが店や参加者の情報を登録し参加者役ユーザに開催情報を通知する処理である開催情報登録処理部と、参加者役ユーザが店までの経路を探索する処理である開催情報通知処理部と、経路探索の基礎となる地図情報を含むサーバデータベースとを有し、携帯基地局及びネットワークを介して複数の携帯端末に接続され、前記複数の携帯端末の一つから誘導経路の要求があると、当該携帯端末の位置情報と前記サーバデータベースに登録されている目的地の位置情報とから、ユーザの目的地までの経路情報を探索し誘導経路を提供する待ち合わせ支援サーバ装置であって、
前記開催情報登録処理部は、
前記複数の携帯端末の一つを用いて幹事役ユーザが入力する自身のＩＤ、パスワード、氏名、メールアドレスを幹事役情報として前記サーバデータベースに登録する幹事役情報登録手段と、
該幹事役情報登録手段により登録された幹事役ユーザが前記複数の携帯端末の一つを用いて入力する店名称、住所を店情報として前記サーバデータベースに登録する店情報登録手段と、
該店情報登録手段に登録した店を利用して前記幹事役情報登録手段により登録された幹事役ユーザが開催案内を送付したい対象者である参加者役ユーザのＩＤ、メールアドレスを参加者情報として前記サーバデータベースに登録する参加者情報登録手段と、
該参加者情報登録手段に登録された参加者役ユーザに前記幹事役情報登録手段により登録された幹事役ユーザが伝えたい情報を案内通知の案内付加情報として前記サーバデータベースに登録する案内付加情報登録手段と、
該案内付加情報登録手段により登録された案内付加情報と、前記幹事役情報登録手段により登録された幹事役情報と、前記店情報登録手段により登録された店情報と、前記参加者情報登録手段により登録された参加者情報とに基づいて、案内通知を前記参加者役ユーザへとメールにて一斉送信する開催案内一斉送信手段と
を有し、
前記開催情報通知処理部は、
前記開催案内一斉送信手段により送信された案内通知を前記複数の携帯端末の一つを用いて前記参加者役ユーザの一人が受け取って、当該案内通知に記載されたリンク情報をクリックすることに基づいて、前記参加者情報登録部が登録した参加者役ユーザの情報を検索し、当該参加者情報を取得する参加者情報取得手段と、
前記案内通知に記載されたリンク情報を前記参加者役ユーザがクリックすることに基づいて、前記店情報登録部が登録した店情報から当該案内通知に係る店情報を取得する店情報取得手段と、
該店情報取得手段が取得した店情報の店住所と、前記案内通知に記載されたリンク情報を前記参加者役ユーザがクリックすることに基づいて該参加者役ユーザの用いる携帯端末のＧＰＳ位置検出手段が取得したＧＰＳ位置情報、前記サーバデータベースに格納された地図情報とから該参加者ユーザが当該店に行き着く経路を探索する経路探索手段と、
前記案内通知に記載されたリンク情報を前記参加者役ユーザがクリックすることに基づいて、当該案内通知に紐付いた付加情報を取得する案内付加情報取得手段と、
該案内付加情報取得手段が取得した付加情報と、前記経路探索手段が探索した結果である経路と、前記サーバデータベースに格納された地図情報と、前記店情報取得手段が取得した店情報とに基づいて、前記参加者役ユーザへ送信する案内通知情報を作成し当該ユーザへと戻すユーザ送信情報作成手段と
を有することを特徴とする待ち合わせ支援サーバ装置。
【請求項６】
請求項５に記載した待ち合わせ支援サーバ装置であって、
前記サーバデータベースは、
前記幹事役情報登録手段が登録した幹事役ユーザＩＤ、パスワード、氏名、メールアドレスを含む幹事役ユーザに関する情報を保管する幹事役情報マスタテーブルと、
前記店情報登録手段が登録した店名称、店住所の情報を前記幹事役情報マスタテーブルの幹事役ユーザＩＤと分類ＩＤ（幹事役ユーザＩＤとの組み合わせで、開催案内を通知する対象となるグループを一意に特定する情報）との組み合わせに関連付けて保管する店情報テーブルと、
前記参加者情報登録手段が登録した参加者役ユーザＩＤ、参加者メールアドレスを幹事役ユーザＩＤと分類ＩＤとの組み合わせに関連付けて保管する参加者情報テーブルと、
前記案内付加情報登録手段が登録した案内付加情報を、幹事役ユーザＩＤと分類ＩＤとの組み合わせに関連付けて保管する案内付加情報テーブルと、
前記経路探索の基礎となる地図データをＩＤを付して管理する地図情報テーブルと
をさらに有し、これらの複数のテーブルが前記幹事役ユーザＩＤ又は該幹事役ユーザＩＤと前記分類ＩＤとの組み合わせにより紐付けられることにより、データベースとして機能することを特徴とする待ち合わせ支援サーバ装置。
【請求項７】
請求項５又は６のいずれか一に記載した待ち合わせ支援サーバ装置であって、
前記開催情報登録処理部の案内付加情報登録手段による付加情報の登録は、当該会議が開始した後であっても何度でも登録でき、
前記開催情報通知処理部の案内付加情報取得手段は、参加者役ユーザの要求に基づいて最新の付加情報を取得して、当該参加者役ユーザに経路探索結果とともに返す
ことを特徴とする待ち合わせ支援サーバ装置。
【請求項８】
請求項７に記載した待ち合わせ支援サーバ装置であって、
前記開催情報登録処理部が、
前記案内付加情報登録手段が付加情報の登録をした後に開催案内のメールを送信する相手を確認するメール送信先確認手段を
さらに有し、来場予定だがまだ到着していない参加者に送信先を限定することを特徴とする待ち合わせ支援サーバ装置。
【請求項９】
複数の携帯端末の一つを用いて幹事役ユーザが入力する自身のＩＤ、パスワード、氏名、メールアドレスを幹事役情報として登録する幹事役情報登録手段と、
該幹事役情報登録手段により登録された幹事役ユーザが前記複数の携帯端末の一つを用いて入力する店名称、住所を店情報として登録する店情報登録手段と、
該店情報登録手段に登録した店を利用して前記幹事役情報登録手段により登録された幹事役ユーザが開催案内を送付したい対象者である参加者役ユーザのＩＤ、メールアドレスを参加者情報として登録する参加者情報登録手段と、
該参加者情報登録手段に登録された参加者役ユーザに前記幹事役情報登録手段により登録された幹事役ユーザが伝えたい情報を案内通知の案内付加情報として登録する案内付加情報登録手段と、
該案内付加情報登録手段により登録された案内付加情報と、前記幹事役情報登録手段により登録された幹事役情報と、前記店情報登録手段により登録された店情報と、前記参加者情報登録手段により登録された参加者情報とに基づいて、案内通知を前記参加者役ユーザへとメールにて一斉送信する開催案内一斉送信手段と
を有する開催情報登録処理部と、
前記開催案内一斉送信手段により送信された案内通知を前記複数の携帯端末の一つを用いて前記参加者役ユーザの一人が受け取って、当該案内通知に記載されたリンク情報をクリックすることに基づいて、前記参加者情報登録部が登録した参加者役ユーザの情報を検索し、当該参加者情報を取得する参加者情報取得手段と、
前記案内通知に記載されたリンク情報を前記参加者役ユーザがクリックすることに基づいて、前記店情報登録部が登録した店情報から当該案内通知に係る店情報を取得する店情報取得手段と、
該店情報取得手段が取得した店情報の店住所と、前記案内通知に記載されたリンク情報を前記参加者役ユーザがクリックすることに基づいて該参加者役ユーザの用いる携帯端末のＧＰＳ位置検出手段が取得したＧＰＳ位置情報、サーバデータベースに格納された地図情報とから該参加者ユーザが当該店に行き着く経路を探索する経路探索手段と、
前記案内通知に記載されたリンク情報を前記参加者役ユーザがクリックすることに基づいて、当該案内通知に紐付いた付加情報を取得する案内付加情報取得手段と、
該案内付加情報取得手段が取得した付加情報と、前記経路探索手段が探索した結果である経路と、前記サーバデータベースに格納された地図情報と、前記店情報取得手段が取得した店情報とに基づいて、前記参加者役ユーザへ送信する案内通知情報を作成し当該ユーザへと戻すユーザ送信情報作成手段と
を有する開催情報通知処理部と
経路探索の基礎となる地図情報を含むサーバデータベースと、
を有し、携帯基地局及びネットワークを介して複数の携帯端末に接続され、前記複数の携帯端末の一つから誘導経路の要求があると、当該携帯端末の位置情報と前記サーバデータベースに登録されている目的地の位置情報とから、ユーザの目的地までの経路情報を探索し誘導経路を提供する待ち合わせ支援サーバ装置における待ち合わせ支援方法であって、
幹事役ユーザが前記複数の携帯端末のうちの一つを用いて、自身の氏名、メールアドレスを登録するのを受け付ける幹事役情報登録ステップと、
該幹事役情報登録ステップにて、登録した幹事役ユーザが前記開催情報登録処理部へログインすることを受け付けるログイン受付ステップと、
該幹事役ユーザが店名称、店住所、参加者のメールアドレスを登録するのを受け付ける店情報・参加者情報登録ステップと、
該幹事役ユーザが参加者役ユーザに伝えたい内容である付加情報を登録するのを受け付ける案内付加情報登録ステップと、
案内通知をメールにて前記参加者に伝える案内通知一斉送信ステップと、
該案内通知のメールを受け取った参加者役ユーザが前記複数の携帯端末のうちの一つを用いて当該メール内のリンク情報をクリックして、開催情報通知処理部へとアクセスし、幹事役ユーザＩＤ、分類ＩＤ、参加者ユーザＩＤを含む情報を送るのを受けて、その妥当性を確認する参加者役ユーザアクセス許可ステップと、
前記幹事役ユーザＩＤと前記分類ＩＤとの組み合わせにより、店情報を検索し、店名称情報と店住所情報とを取得する店情報取得ステップと、
前記サーバデータベースから地図情報を取得し、前記参加者役ユーザの携帯端末のＧＰＳ位置情報と前記店住所情報とから経路探索を行う経路探索ステップと、
前記幹事役ユーザＩＤと前記分類ＩＤとの組み合わせにより、案内付加情報を検索し、付加情報を取得する付加情報取得ステップと、
前記サーバデータベースから地図情報を取得し、前記経路探索ステップの経路探索結果を重畳表示し、前記店名称情報、前記店住所情報、前記付加情報に基づいてユーザ送信用情報を作成するユーザ送信用情報作成ステップと、
該ユーザ送信用情報を前記参加者役ユーザの携帯端末に前記ブラウザを介して返すユーザ送信用情報返送ステップと
を有することを特徴とする待ち合わせ支援方法。
【請求項１０】
請求項９に記載した待ち合わせ支援方法であって、
前記案内付加情報登録ステップにて付加情報の登録をした後、当該メール送信先を限定するメール送信先限定ステップ
をさらに有し、限定された相手に案内通知メールを送信することによって、既に会場に来ている参加者役ユーザへの送信を除外することを特徴とする待ち合わせ支援方法。
【請求項１１】
第１の端末と、第２の端末と、前記第１の端末及び前記第２の端末とネットワークを介して接続されたサーバと、を備えるシステムであって、
前記第１の端末は、前記第２の端末を示す第２端末情報と、前記第２端末情報と関連付けられる店情報と、を前記サーバへ送信し、
前記サーバは、前記第２端末情報と、前記第２端末情報と関連付けられた前記店情報とを関連付けて記憶し、前記第２の端末へ前記店情報を案内通知として送信し、
前記第２の端末は、前記第２の端末の位置情報を前記サーバへ送信し、
前記サーバは、前記第２の端末の位置情報と、前記店情報を用いて取得した当該店の位置情報と、を用いて、前記第２の端末の位置から前記店の位置までの経路探索を行い、経路探索の結果を前記第２の端末へ送信することを特徴とするシステム。
【請求項１２】
請求項１１記載のシステムにおいて、
前記第１の端末は、さらに、前記第２の端末へのメッセージとして案内付加情報を前記サーバへ送信し、
前記サーバは、前記第２端末情報、前記店情報及び前記案内付加情報とを関連付けて記憶し、前記第２の端末へ前記店情報と前記案内付加情報とを送信することを特徴とするシステム。
【請求項１３】
請求項１１または１２記載のシステムにおいて、
前記第２の端末は、前記サーバから送信された案内通知を表示し、前記案内通知に示されるリンク情報がユーザにより選択されたとき、前記サーバへ前記経路探索要求を送信することを特徴とするシステム。
【請求項１４】
請求項１３に記載のシステムにおいて、
前記第２の端末は、前記案内通知を表示した後、ユーザによるワンタッチの操作により前記リンク情報が選択可能であることを特徴とするシステム。
【請求項１５】
第１の端末及び第２の端末とネットワークを介して接続したサーバであって、
前記第１の端末が送信した、前記第２の端末を示す第２端末情報と、前記第２端末情報と関連付けられる店情報と、を受け取る第２端末情報・店情報受信手段と、
該第２端末情報・店情報受信手段が受信した前記第２端末情報と前記店情報とを関連付けて記憶する第２端末情報・店情報記憶手段と、
該第２端末情報・店情報記憶手段の記憶した関連付けに従って、前記第２の端末へ前記店情報を案内通知として送信する案内通知送信手段と、
前記第２の端末が送信した、該第２の端末の位置情報を受け取る第２端末位置情報受信手段と、
該第２端末位置情報受信手段が受信した該第２の端末の位置情報と、前記店情報を用いて取得した当該店の位置情報とを用いて、前記第２の端末の位置から前記店の位置までの経路探索を行う経路探索手段と、
該経路探索手段の経路探索結果を前記第２の端末へ送信する経路探索結果送信手段と
を有するサーバ。
【請求項１６】
第１の端末と、第２の端末と、前記第１の端末及び前記第２の端末とネットワークを介して接続されたサーバと、を備えるシステムにおける待ち合わせ支援方法であって、
前記第１の端末が、前記第２の端末を示す第２端末情報と、前記第２端末情報と関連付けられる店情報と、を前記サーバへ送信するステップと、
前記サーバが、第２端末情報と該第２端末情報に関連付けられた店情報とを受信するステップと、
前記サーバが、該受信した前記第２端末情報と前記店情報とを関連付けて記憶するステップと、
前記サーバが、該記憶した関連付けに従って、前記第２の端末へ前記店情報を案内通知として送信するステップと、
前記第２の端末が、該第２の端末の位置情報を前記サーバへ送信するステップと、
前記サーバが、前記第２の端末の位置情報を受信するステップと、
前記サーバが、受信した該第２の端末の位置情報と、前記店情報を用いて取得した当該店の位置情報と、を用いて、前記第２の端末の位置から前記店の位置までの経路探索を行うステップと
前記サーバが、経路探索結果を前記第２の端末へ送信するステップと
を有する待ち合わせ支援方法。
【発明の詳細な説明】
【技術分野】
【０００１】
本発明は、携帯端末の位置情報から、現在地から店等の集合会場までの経路を探索し、誘導経路を提供するシステムに関するものである。
【背景技術】
【０００２】
会社の飲み会等の連絡を行う場合、会場となる店の住所や店までのアクセス地図をホームページ上から取得し、参加者に展開することが多い。また、急遽当日に飲み会が決まった場合や、当日参加が決まったメンバについては、電話連絡等で会場の店を伝えることとなり、詳細に場所が伝わりにくいことも多い。
そこで、任意の場所を指定して現在地からの経路を探索する携帯端末向けナビゲーションサービスがある。ユーザは会場となる店の住所を指定して探索することで、目的地まで迷わず向かうことが可能となる。
【０００３】
特許文献１には、携帯無線端末同士がローカル通信の可能なエリア内に存在している場合に役立つ待ち合わせ支援機能が開示されている。
特許文献２には、待ち合わせ場所の写真によって、到達の確認を視覚的に行う待ち合わせ支援装置、システム、方法が開示されている。
特許文献３には、ナビゲーションシステムの検索結果を携帯端末を用いて人に知らせることにより、人と車両とが待ち合わせることを支援するシステムが開示されている。
特許文献４には、両者が所定距離内にいる場合に通知することにより、携帯電話を持つ人とナビゲーションシステムを有する車両とが待ち合わせることを支援するシステムが開示されている。
特許文献５には、複数の移動体が待ち合わせる場合に、各移動体の現在位置に基づいて最適な待ち合わせ場所を変更する待ち合わせ支援を行うシステムが開示されている。
特許文献６には、ＰＨＳのような小ゾーン方式の移動通信網における待ち合わせ支援システムが開示されている。
【先行技術文献】
【特許文献】
【０００４】
【特許文献１】特開２００９−２８４４０９号公報
【特許文献２】特開２００８−１９７８３８号公報
【特許文献３】特開２００７−０７２９７１号公報
【特許文献４】特開２００７−０７２５８８号公報
【特許文献５】特開２００５−２２７１６８号公報
【特許文献６】特開平１１−３４１５４６号公報
【発明の概要】
【発明が解決しようとする課題】
【０００５】
上述の携帯端末向けナビゲーションサービスは、ユーザが自分自身で会場となる店の住所を指定して探索を行う必要があり、ユーザに対して手間や負担を強いるものである。また、探索するためには店の名称や住所といった情報を予め幹事役から教えてもらう必要があり、誤った名称や住所が教えられた場合は目的地までたどり着けない場合も考えられる。参加者の中にたどり着けない者がいると、幹事は店の外まで出て分かりやすいところで待ち合わせて自ら誘導する必要があるなどの手間がかかっていた。
本発明の目的は、携帯端末を利用して、現在地から会場となる店までの経路を探索し、誘導するサービスを提供することにある。
これにより、対象とするメンバユーザに一斉配信するだけで、アクセス地図の展開や電話での場所連絡といった作業をなくす。また、会場連絡や遅延連絡等の双方向の連絡もこのサービス上で可能である。
【課題を解決するための手段】
【０００６】
上記目的を達成するために、本発明の待ち合わせ支援サービスは、携帯端末の位置情報とサーバデータベースに登録されている目的地の位置情報から、ユーザ探索時に、ユーザの目的地までの経路情報を探索し、誘導経路を提供するサービスとし、幹事役ユーザを登録する幹事役情報登録手段と、案内通知の店情報を登録する店情報登録手段と、案内通知の参加者情報を登録する参加者情報登録手段と、案内通知の案内付加情報を登録する案内通知付加情報登録部と、案内通知を参加者役ユーザへと一斉送信する開催案内一斉送信手段と、参加者役ユーザの情報を取得する参加者情報取得手段と、案内通知から店情報を取得する店情報取得手段と、参加者役ユーザの携帯端末によるＧＰＳ（Ｇｌｏｂａｌ  Ｐｏｓｉｔｉｏｎｉｎｇ  Ｓｙｓｔｅｍ）位置情報と店情報の店住所から経路を探索する経路探索手段と、案内通知から付加情報を取得する案内付加情報取得手段と、ユーザ送信用の案内通知情報を作成しユーザへと戻すユーザ送信情報作成手段を備えたものである。
【発明の効果】
【０００７】
以上のように本発明の待ち合わせ支援サービスによれば、次のような効果がある。
幹事役のユーザが出席者や店の情報を予め登録しておくことで、参加者役ユーザに開催日程通知を一斉配布することができる。
【０００８】
また、参加者役ユーザは現在位置から目的地となる店までの経路を、住所等の情報を入力することなく、経路探索を行うことができる。
【図面の簡単な説明】
【０００９】
【図１】図１は、本発明の実施形態を示すシステム構成図である。
【図２】図２は、幹事役情報マスタ情報のデータ構造の一例を示す図である。
【図３】図３は、店情報のデータ構造の一例を示す図である。
【図４】図４は、参加者情報のデータ構造の一例を示す図である。
【図５】図５は、案内付加情報のデータ構造の一例を示す図である。
【図６】図６は、地図情報のデータ構造の一例を示す図である。
【図７】図７は、本発明における処理を示すフローチャートである。
【図８】図８は、本発明における処理を示すフローチャートである。
【図９】図９は、本発明の実施形態を示すソフトウェア構成図である。
【発明を実施するための形態】
【００１０】
以下、本発明の実施形態を、図面を用いて詳細に説明する。
【００１１】
図１は、本発明の実施形態を示すシステム構成図である。本待ち合わせ支援サービスは、幹事役のユーザが所有する携帯端末１０１と、参加者役のユーザが所有する携帯端末２０１と、携帯端末プロバイダ会社が所有する基地局３０１と、ネットワーク４０１と、待ち合わせ支援サーバ５０１から構成される。幹事役のユーザが所有する携帯端末１０１と、参加者役のユーザが所有する携帯端末２０１とは、携帯端末プロバイダ会社が所有する基地局３０１、３０１を介して、有線の公衆回線網によるネットワーク４０１と接続される。このネットワーク４０１に待ち合わせ支援サーバ５０１が接続される。待ち合わせ支援サーバ５０１は、ハードウェア的に見ると、サーバコンピュータにより構成される。サーバコンピュータのＣＰＵが必要なプログラムを読み込んで待ち合わせ支援に必要な情報処理機能を提供すべく稼働している環境を指して待ち合わせ支援サーバ５０１と呼ぶ。また、以下に述べる○○部なるものは、当該プログラムを複数の部分からなるものと見たときに、サーバコンピュータのＣＰＵが各プログラムの部分を読み込んで実行する状態を指して表現するものである。さらに、○○部よりも細かい情報処理ステップからなるプログラムを実行するＣＰＵの状態を表現する際に、必要に応じて○○手段なる呼び方をする。前記携帯端末は、ハードウェアとしてみるとクライアントコンピュータとして機能するものであり、ＧＰＳ位置検索機能と、ウェブブラウジング機能（ウェブブラウザとインターネット接続機能）を備えた携帯電話機により構成されるものである。
待ち合わせ支援サーバ５０１は、幹事役ユーザが店や参加者の情報を登録し、参加者役ユーザに開催情報を通知する処理を実行する開催情報登録処理部６０１と、参加者役ユーザが店までの経路を探索する処理となる開催情報通知処理部７０１とから構成される。開催情報登録処理部６０１は、幹事役情報登録手段６１０と、店情報登録手段６１１と、参加者情報登録手段６１２と、案内付加情報登録手段６１３と、開催案内一斉送信手段６１４とから構成される。開催情報通知処理部７０１は、参加者情報取得手段７１０と、店情報取得手段７１１と、経路探索手段７１２と、案内付加情報取得手段７１３と、ユーザ送信情報作成手段７１４とから構成される。
また、待ち合わせ支援サーバ５０１を実現するために必要な情報として、幹事役情報マスタテーブル８１０と、店情報テーブル８１１と、参加者情報テーブル８１２と、案内付加情報テーブル８１３と、地図情報テーブル８１４とを備える。
【００１２】
幹事役ユーザは携帯端末１０１から、基地局３０１を経由して、ネットワーク４０１を通じて待ち合わせ支援サーバ５０１にアクセスし、開催情報登録処理部６０１の提供を受けることとなる。
開催情報登録処理部６０１のうち、幹事役情報登録手段６１０は、幹事役ユーザが携帯端末１０１から入力した幹事役情報を幹事役情報マスタテーブル８１０へ登録する。
店情報登録手段６１１は、幹事役ユーザが携帯端末１０１から入力した店名称や住所といった情報を店情報テーブル８１１へ登録する。店情報は１人の幹事役ユーザに対して複数登録可能であり、分類ＩＤで個別管理される。
参加者情報登録手段６１２は、幹事役ユーザが開催案内を送付したい参加者役ユーザのメールアドレスを参加者情報テーブル８１２へ登録する。参加者情報は１人の幹事役ユーザに対して複数登録可能であり、店情報テーブル８１１の分類ＩＤ（図３の１００２）と参加者情報テーブル８１２の分類ＩＤ（図４の１１０２）で関連付けられる。
案内付加情報登録手段６１３は、開催日時やその他幹事役が参加者に伝えたい付加情報を案内付加情報テーブル８１３へ登録する。
開催案内一斉送信手段６１４は、参加者情報テーブル８１２から案内を送信する参加者役ユーザのメールアドレスを取得し、案内を一斉送信する。
【００１３】
参加者役ユーザは受信したメール内に記載されたリンク情報をクリックして、携帯端末１０２から、基地局３０１を経由して、ネットワーク４０１を通じて待ち合わせ支援サーバ５０１にアクセスし、開催情報通知処理部６０２の提供を受けることとなる。
開催情報通知処理部６０２のうち、参加者情報取得手段７１０は、参加者情報テーブル８１２を検索し、当該参加者役ユーザ宛に送信された開催案内が妥当であることを確認する。
店情報取得手段７１１は、店情報テーブル８１１を検索し、店名称、店住所といった情報を取得する。
経路探索手段７１２は、取得した店住所と携帯端末より送信された端末位置情報と、地図情報テーブル８１４から最適な経路探索を行う。
案内付加情報取得手段７１３は、案内付加情報テーブル８１３を検索し、幹事役ユーザが登録した付加情報を取得する。
ユーザ送信情報作成手段７１４は、取得した店名称、店住所、付加情報に加えて、経路探索結果に地図情報テーブル８１４の当該エリアを重畳表示してユーザへ送信する案内情報を作成し、ユーザへと返す。
【００１４】
図２は、幹事役情報マスタテーブル８１０が保持するデータ構造を例示する概略図である。幹事役情報マスタテーブル８１０には、幹事役ユーザＩＤ９０１、パスワード９０２、氏名９０３、メールアドレス９０４の情報が保管されている。幹事役ユーザＩＤ９０１は、幹事役ユーザを一意に特定するものである。サービスを初めて利用する際に一度だけ登録する情報であり、２回目以降は登録した幹事役ユーザＩＤ９０１、パスワード９０２で識別される。
【００１５】
図３は、店情報テーブル８１１が保持するデータ構造を例示する概略図である。店情報テーブル８１１には、幹事役ユーザＩＤ１００１、分類ＩＤ１００２、店名称１００３、店住所１００４の情報が保管されている。幹事役ユーザＩＤ１００１は、図２の幹事役情報マスタテーブルにおける幹事役ユーザＩＤ９０１と同一のものである。幹事役ユーザＩＤ１００１と分類ＩＤ１００２との組み合わせで、開催案内を通知する対象となるグループを一意に特定する情報となる。すなわち、分類ＩＤは、幹事役ユーザＩＤとの組み合わせで、開催案内を通知する対象となるグループを一意に特定する情報である。分類ＩＤを設けたのは、一人の幹事役ユーザが担当する会議は、一つに限らず、複数あり得るからである。開催案内の対象となる店名称１００３、店住所１００４の情報は、当該幹事役ユーザＩＤ１００１と分類ＩＤ１００２との組み合わせに関連付けられて店情報テーブル８１１に保管される。
【００１６】
図４は、参加者情報テーブル８１２が保持するデータ構造を例示する概略図である。参加者情報テーブル８１２には、幹事役ユーザＩＤ１１０１、分類ＩＤ１１０２、参加者役ユーザＩＤ１１０３、参加者メールアドレス１１０４の情報が保管されている。幹事役ユーザＩＤ１１０１は、図３に示す店情報テーブルにおける幹事役ユーザＩＤ１００１と同一である。分類ＩＤ１１０２は、図３に示す店情報テーブルにおける分類ＩＤ１００２と同一である。開催案内を通知する参加者役ユーザＩＤ１１０３、参加者メールアドレス１１０４の情報は、幹事役ユーザＩＤと分類ＩＤとの組み合わせに関連付けられて、参加者情報テーブルに保管される。
【００１７】
図５は、案内付加情報テーブル８１３が保持するデータ構造を例示する概略図である。案内付加情報テーブル８１３には、幹事役ユーザＩＤ１２０１、分類ＩＤ１２０２、付加情報１２０３の情報が保持されている。幹事役ユーザＩＤ１２０１、分類ＩＤ１２０２は、それぞれ図３の店情報テーブルのそれら、図４の参加者情報テーブルのそれらと同一である。付加情報１２０３は、幹事役ユーザＩＤと分類ＩＤとの組み合わせに関連付けられて案内付加情報テーブルに保管される。
このように、幹事役情報マスタテーブル、店情報テーブル、参加者情報テーブル、案内付加情報テーブルを構成することにより、幹事役ＩＤ又は、幹事役ＩＤと分類ＩＤとの組み合わせにより、それぞれのテーブルの情報が関連付けられるので、これら複数のテーブルの組み合わせがデータベースとして機能する。
案内付加情報テーブルに保管される付加情報は、幹事役ユーザが複数回にわたってその内容を更新し、登録しなおすことができる。会議の進展にしたがって、場の盛り上がりの状況を伝えることを可能にするためである。これにより、遅れて出席する参加者役ユーザは、サーバに問い合わせるたびごとに、最新の付加情報を得られるから、場の雰囲気に思いを馳せつつ、会議の場へと向かうことが可能となる。
【００１８】
図６は、地図情報テーブル８１４が保持するデータ構造を例示する概略図である。地図情報テーブル８１４には、ＩＤ１３０１、地図データ１３０２の情報が保持されている。地図データはバイナリ形式で保持されており、地図データの内容を最新に保つため、定期的にメンテナンスを行う。この地図情報は、ＧＩＳにより扱え、経路探索が可能なデータとして準備される。
【００１９】
以下、以上のように構成された待ち合わせ支援サービスの動作を説明する。
【００２０】
図７は、待ち合わせ支援サーバ５０１のうち、開催情報登録処理部６０１における処理のフローチャートである。幹事役ユーザの携帯端末１０１から待ち合わせ支援サーバ５０１へとアクセスが実施される。初めての利用である場合は、自身の情報を登録するためにステップ１４０２へと移る。２回目以降の利用である場合は１４０３へと移る。（１４０１）
初めての利用である場合は、氏名やメールアドレス等の情報を幹事役情報マスタ８１０へ登録する。（１４０２）
２回目以降の利用であり、既に幹事役情報マスタ８１０へ登録済の場合は、登録した情報で待ち合わせ支援サーバ５０１へログインする。幹事役情報マスタ８１０へ登録した情報については、ログイン後に随時変更可能とする。（１４０３）
案内通知を行う際、過去に案内した通知内容を利用して同様の通知を日程等の変更で案内する場合は、ステップ１４０７へと移る。新しく案内通知を作成する場合は、１４０５へと移る。（１４０４）
案内通知を作成する場合、分類ＩＤ１００２（１１０２，１２０２）の採番をし、当該分類ＩＤと幹事役ＩＤとの組み合わせに関連付けて、案内を行う店の名称情報や住所情報を店情報８１１へ登録する。（１４０５）
同様に、案内通知を行う参加者の氏名及びメールアドレスを、幹事役ＩＤと分類ＩＤとの組み合わせに関連付けて、参加者情報８１２へ登録する。１つの案内通知に対して、複数の参加者が登録可能である。（１４０６）
新しく作成、もしくは既存の案内通知に対して、幹事役ＩＤと分類ＩＤとの組み合わせに関連付けて、開催日程、店の詳細情報、参加人数といった付加情報を案内付加情報８１３へ登録する。（１４０７）
付加情報を付与した案内通知を対象となる参加者のメールアドレスへと一斉送信する。（１４０８）
【００２１】
図８は、待ち合わせ支援サーバ５０１のうち、開催情報通知処理部７０１における処理のフローチャートである。以上で説明した開催情報登録処理部６０１によって一斉送信された案内通知のメールは、参加者役ユーザの携帯端末１０２で受信される。通知内容に記載された待ち合わせ支援サーバ５０１へのリンク情報をクリックすることで、参加者役ユーザの携帯端末１０２から待ち合わせ支援サーバ５０１へとアクセスが実施される。アクセスの際、幹事役ユーザＩＤと分類ＩＤ、参加者役ユーザＩＤがブラウザを介して情報として送信される。
送られてきた幹事役ユーザＩＤと分類ＩＤ、参加者役ユーザＩＤから参加者情報８１２を検索し、情報が存在するか確認する。存在する場合は適正な案内通知としてステップ１５０３へと移る。存在しない場合は、不正な案内通知として処理を終了する。（１５０１）（１５０２）
【００２２】
情報が存在する場合は、送られてきた幹事役ユーザＩＤと分類ＩＤとの組み合わせにより店情報８１１を検索し、その案内通知における店名称情報と店住所情報を取得する。（１５０３）
地図情報８１４を取得し、送られてきた携帯端末のＧＰＳ（Ｇｌｏｂａｌ  Ｐｏｓｉｔｉｏｎｉｎｇ  Ｓｙｓｔｅｍ）位置情報とステップ１５０３で取得した店住所情報より、経路探索を行う。（１５０４）
送られてきた幹事役ユーザＩＤと分類ＩＤとの組み合わせより案内付加情報８１３を検索し、その案内通知における付加情報を取得する。（１５０５）
地図情報８１４を再度取得し、ステップ１５０４で実施した経路探索結果と重畳表示を行い、ユーザ送信用情報を作成する。作成した情報にステップ１５０３で取得した店名称情報と店住所情報、ステップ１５０５で取得した付加情報を付与する。（１５０６）
作成したユーザ送信用情報を呼び元の携帯端末１０２へ返す。（１５０７）
【００２３】
図９は、幹事役ユーザの携帯端末１０１及び参加者役ユーザの携帯端末１０２の構成図と、待ち合わせ支援サーバ５０１を提供するサーバの構成図である。クライアント（携帯端末）１６０１は、ＧＰＳ位置検索手段を有するほかには、特別に用意するソフトウェアはなく、汎用的な携帯用Ｗｅｂブラウザのみで利用可能である。Ｗｅｂブラウザは、サーバ上のＷｅｂアプリケーションソフトウェアに対して、要求をし、また必要な入出力を行う。その際に、携帯端末のＧＰＳ位置検索手段が取得した位置情報をも合わせてＷｅｂアプリケーション側に送信する。なお、ここでＧＰＳ位置検索手段は、狭い意味では人工衛星からの電波信号を自ら受信して解析し経緯度を算出するものを指すが、携帯端末におけるＧＰＳ位置検索は、携帯電話基地局の位置データをも加味して処理する場合があり、広い意味ではそれをも含めてＧＰＳ位置検索手段ということとする。
サーバ１６０２は、ＯＳ上にデータベースソフトウェア、ＧＩＳ（Ｇｅｏｇｒａｐｈｉｃ  Ｉｎｆｏｒｍａｔｉｏｎ  Ｓｙｓｔｅｍ）ソフトウェア（地図をコンピュータで扱うためのシステム）に加えて、Ｗｅｂリクエストを処理するＷｅｂＡＰソフトウェアの構成となる。
なお、参加者役ユーザの携帯端末では、案内通知を表示した後、参加者役ユーザによるワンタッチの操作によりリンク情報が選択可能であり、選択したリンク情報に基づいて店の情報、地図情報、経路情報などの各情報をそのまま表示させることも可能である。
【実施例１】
【００２４】
上述の実施形態においては、開催案内一斉送信手段は、すべての参加者役ユーザに対して、一斉に送信することとしたが、幹事役ユーザが会議の途中において、付加情報を更新する場合（図７で、１４０１，１４０３，１４０４，１４０７と流れる場合）にまで、一斉送信してはすでに当該会議に出席している参加者役ユーザに取っては煩わしいとする場合がある。したがって、幹事役ユーザが付加情報を更新する際に、既に会議場に到着している参加者を送信対象から除外する手続きを（例えば、すべての参加者役ユーザ宛送るか、送信対象を選択するかを選んだ後に、各参加者をラジオボタンでチェックすることにより、）併せて行ない、会議の遅刻者に対してのみメールを送信することとする実施例も可能である。その場合には、メールを受け取った参加者役ユーザは、会議の盛り上がり具合を伝える幹事役からのメッセージを参考にして、会場へと向かうことができる。
【実施例２】
【００２５】
実施形態及び実施例１では、端末（端末コンピュータ）が携帯電話機であることを前提にした。しかし、本発明は、端末が携帯電話機のみならず、ＰＣ（パーソナルコンピュータ）であっても同様に利用可能である。また、移動できる端末でなく固定された端末であっても、利用可能である。そして、固定された端末を用いる場合は，その端末はＧＰＳ位置検索手段を有する必要はない。住所（所番地）又は緯度、経度などでその位置を特定できる情報を有しており、それをサーバに送信できる状況にあれば、本発明を同様に適用できる。
【産業上の利用可能性】
【００２６】
待ち合わせ支援サービスを提供するためのネットワーク全体に利用可能である。また、待ち合わせ支援サービスを提供するためのサーバコンピュータ、またはサーバコンピュータに組み込んで実行するコンピュータプログラムに利用可能である。
【符号の説明】
【００２７】
１０１  幹事役ユーザ携帯端末
２０１  参加者役ユーザ携帯端末
３０１  携帯端末プロバイダ基地局
４０１  ネットワーク
５０１  待ち合わせ支援サーバ
６０１  開催情報登録処理部
６１０  幹事役情報登録手段
６１１  店情報登録手段
６１２  参加者情報登録手段
６１３  案内付加情報登録手段
６１４  開催案内一斉送信手段
７０１  開催情報通知処理部
７１０  参加者情報取得手段
７１１  店情報取得手段
７１２  経路探索手段
７１３  案内付加情報取得手段
７１４  ユーザ送信情報作成手段
８１０  幹事役情報マスタテーブル
８１１  店情報テーブル
８１２  参加者情報テーブル
８１３  案内付加情報テーブル
８１４  地図情報テーブル
【図１】
2012073737.tif 000003
【図２】
2012073737.tif 000004
【図３】
2012073737.tif 000005
【図４】
2012073737.tif 000006
【図５】
2012073737.tif 000007
【図６】
2012073737.tif 000008
【図７】
2012073737.tif 000009
【図８】
2012073737.tif 000010
【図９】
2012073737.tif 000011